(57)【要約】【課題】台紙へのブリスターケース装着が容易に行えるようにしたスライド式ブリスターパックを提供する。【解決手段】略平板状のブリスターケース２と台紙１とを備え、上記ブリスターケース２の左右両側部に、上記台紙１の左右両側縁部とスライド自在に係合するスライド用係合部１４を設け、上記台紙１の先端側の左右両側縁に、上記ブリスターケース２の両スライド用係合部１４の先端に当接する突起５を突設したスライド式ブリスターパックであって、上記台紙１の後端側部に略コ字状の切込み６を、そのコ字状の開放部分を上記台紙１の先端側に向けた下向き状態で形成し、上記台紙１の切込み６に対応する上記ブリスターケース２の後端縁に、上記切込み６に差し込むための爪部１３を突設している。【選択図】図１
2005075460.tif 000002
【特許請求の範囲】
【請求項１】
商品を収容する収容部を有する略平板状のブリスターケースと、それ自体の後端側から先端側に向かって上記ブリスターケースを対面状態でスライドさせ適正位置で固定する台紙とを備え、上記ブリスターケースの左右両側部に、上記台紙の左右両側縁部とスライド自在に係合する係合部を設け、上記台紙の先端側の左右両側縁に、上記ブリスターケースの両係合部の先端に当接して上記ブリスターケースのスライドを停止させ適正位置に位置決めする凸部を突設したスライド式ブリスターパックであって、上記台紙の後端側部に略コ字状の切り欠き部を、そのコ字状の開放部分を上記台紙の先端側に向けた下向き状態で形成し、上記台紙の切り欠き部に対応する上記ブリスターケースの後端縁に、上記切り欠き部に差し込むための舌片を突設したことを特徴とするスライド式ブリスターパック。
【請求項２】
上記下向き略コ字状の切り欠き部が、コ字状の上下両横辺をハの字状に外向きに開いて形成されている請求項１記載のスライド式ブリスターパック。
【発明の詳細な説明】
【技術分野】
【０００１】
本発明は、食品，化粧品や日用品等を包装するのに用いるスライド式ブリスターパックであって、台紙へのブリスターケース装着が容易に行えるようにしたスライド式ブリスターパックに関するものである。
【背景技術】
【０００２】
従来から、スライド式ブリスターパックとして、図１０に示すような展示容器が提案されている（特許文献１参照）。この展示容器は、品物（図示せず）を収納しうる凹所２１a が形成された透明カバー２１と、厚紙製の台紙２２とからなっており、上記透明カバー２１の左右両側縁部に、上記台紙２２の左右両側縁部にスライド自在に係合しうる溝条２３が形成されている。また、上記台紙２２には、その下端部の左右両側縁に、上記透明カバー２１の溝条２３の下端面に当接して下方へのスライドを阻止する突起２４が形成されており、また、上記台紙２２の上部の中央には、Ｕ状切込２５a を設けることにより挟持舌片２５が形成されている（図１１参照）。そして、上記透明カバー２１の凹所２１a に品物を収納し、ついで、この透明カバー２１の溝条２３の下端部を台紙２２の左右両側縁の上端部に挿入し、透明カバー２１を台紙２２に沿って下方にスライドさせて上記溝条２３の下端面を突起２４の上端面に当接させ、つぎに、上記台紙２２の挟持舌片２５を表側に折り曲げるとともに、台紙２２を裏側に折り曲げながら、透明カバー２１の上端縁を挟持舌片２５の裏側に差し込み、これにより台紙２２に透明カバー２１を固定するようにしている。図１０および図１１において、２６はつり下げ穴である。
【０００３】
また、図１２に示すように、ブリスターケース３１（上記展示容器の透明カバー２１に相当する真空成形品）の上端縁中央から爪部３７を突設し、台紙３２の上部中央に、皿状の切込み３８a を設けることによりフラップ３８を形成したものがある。このものでは、ブリスターケース３１の爪部３７を台紙３２の切込み３８a に差し込む際には、台紙３２のフラップ３８を表側に折り曲げるとともに、台紙３２を裏側に折り曲げて切込み３８a に空隙を与えたのち、ブリスターケース３１の爪部３７を切込み３８a に差し込むことが行われる（図１３参照）。図１２において、３１a は凹所、３３は溝条、３４は突起、３６はつり下げ穴である。
【特許文献１】特開平１−１７９８７１号公報
【発明の開示】
【発明が解決しようとする課題】
【０００４】
しかしながら、上記の両例では、台紙２２，３２を折り曲げる際に、台紙２２，３２に折れ線が入るおそれがあるだけでなく、台紙２２の挟持舌片２５もしくはフラップ３８を表側に折り曲げる作業と、台紙２２，３２を裏側に折り曲げる作業と、透明カバー２１の上端縁もしくはブリスターケース３１の爪部３７を差し込む作業が必要であり、作業性が必ずしも良くない。
【０００５】
本発明は、このような事情に鑑みなされたもので、台紙へのブリスターケース装着が容易に行えるようにしたスライド式ブリスターパックの提供をその目的とする。
【課題を解決するための手段】
【０００６】
上記の目的を達成するため、本発明のスライド式ブリスターパックは、商品を収容する収容部を有する略平板状のブリスターケースと、それ自体の後端側から先端側に向かって上記ブリスターケースを対面状態でスライドさせ適正位置で固定する台紙とを備え、上記ブリスターケースの左右両側部に、上記台紙の左右両側縁部とスライド自在に係合する係合部を設け、上記台紙の先端側の左右両側縁に、上記ブリスターケースの両係合部の先端に当接して上記ブリスターケースのスライドを停止させ適正位置に位置決めする凸部を突設したスライド式ブリスターパックであって、上記台紙の後端側部に略コ字状の切り欠き部を、そのコ字状の開放部分を上記台紙の先端側に向けた下向き状態で形成し、上記台紙の切り欠き部に対応する上記ブリスターケースの後端縁に、上記切り欠き部に差し込むための舌片を突設したという構成をとる。
【発明の効果】
【０００７】
すなわち、本発明のスライド式ブリスターパックでは、ブリスターケースを台紙に固定する場合には、台紙の後端側で、ブリスターケースの左右両側部の係合部と、台紙の左右両側縁部とを係合させ、この係合状態で、台紙の後端側から先端側に向かってブリスターケースを対面状態でスライドさせて、台紙の先端側の左右両側縁の凸部にブリスターケースの両係合部の先端を当接させる。これにより、ブリスターケースのスライドが停止し、ブリスターケースが適正位置に位置決めされる。この位置決めののち、ブリスターケースの舌片を台紙の略コ字状の切り欠き部に差し込む。この差し込みに際しては、ブリスターケースの舌片を手指で裏側に折り曲げるとともに、その手指で、略コ字状の切り欠き部で囲まれた台紙の部分を裏側に折り曲げ、切り欠き部に空隙を与えながら舌片を切り欠き部に差し込むことを行う。このように、本発明のスライド式ブリスターパックでは、ブリスターケースの舌片を押し込むことが、そのまま台紙の切り欠き部に空隙を与える動作となるため、台紙を折り曲げることなく舌片を切り欠き部に差し込むことができる。したがって、台紙に折れ線が入る不具合を解消することができ、しかも、作業性が改善される。
【０００８】
また、上記下向き略コ字状の切り欠き部が、コ字状の上下両横辺をハの字状に外向きに開いて形成されていると、ブリスターケースの舌片を裏側に折り曲げながら、簡単に、切り欠き部で囲まれた台紙の部分を裏側に折り曲げて、切り欠き部に差し込むことができる。
【発明を実施するための最良の形態】
【０００９】
つぎに、本発明の実施の形態を図面にもとづいて詳しく説明する。
【００１０】
図１は本発明のスライド式ブリスターパックの一実施の形態を示している。この実施の形態では、スライド式ブリスターパックは、ヘア美容液を収容する化粧料容器（図示せず）を収納して吊り下げ展示するためのものであり、平板状厚紙製の台紙１と、真空成形により成形された透明プラスティック製のブリスターケース２とで構成されている。
【００１１】
上記台紙１は、図２に示すように、略長方形状に形成された平板状厚紙で構成されており、その上端面１ａがなだらかな湾曲面に形成されているとともに、互いに平行に形成された左右両側面１ｂの下端部に、後述するブリスターケース２のスライド用係合部１４の下端面に当接して下方へのスライドを停止させる突起（凸部）５が形成されている。また、上記台紙１には、その上部の中央に、略コ字状に形成された切込み（切り欠き部）６が、その略コ字状の開放部分を下方に向けるようにして設けられており、この切込み６で囲まれた部分が、裏側に折り曲げ可能な折り曲げ片７に形成されている。より詳しく説明すると、上記切込み６は、〔（かぎかっこ）状に形成されており、上記台紙１の左右両側面１ｂに対し直交する方向に（もしくは上記台紙１の下端面１ｃに平行する方向に）一直線状に延びる直線部分６a と、この直線部分６a の左右両端から下側に向かって外拡がり状に傾斜する（ハの字状に外向きに開く）左右一対の傾斜部分６ｂとからなり、これら直線部分６a と両傾斜部分６ｂとで囲まれた台形状部分が折り曲げ片７に形成されている。図において、８は上記台紙１の上端部に穿設された吊り下げ穴である。
【００１２】
上記ブリスターケース２は、上記台紙１にスライド自在に装着されるものであり、図３〜図６に示すように、平板部１１と、この平板部１１から表側に一体的に突出形成された（上記化粧料容器を収容しうる）収容部１２と、上記平板部１１の上端面１１a から上方に突出形成された半円弧形状の爪部（舌片）１３と、上記平板部１１の左右両側部１１ｂを裏側に折り曲げることにより上記平板部１１の左右両側に溝状隙間として形成された左右一対のスライド用係合部１４とで構成されている。そして、これら両スライド用係合部１４が台紙１の左右両側縁部にスライド自在に係合されるようにしている。このようなブリスターケース２は、例えば、透明なＰＶＣ（塩化ビニル樹脂）を用い、真空成形により作製されたものである。
【００１３】
上記の構成において、ブリスターケース２の収容部１２内に化粧料容器を収容し、ついで、ブリスターケース２の両スライド用係合部１４の下端部を台紙１の左右両側縁部の上端部に挿入，係合し、ブリスターケース２を台紙１に沿って対面状態で下方にスライドさせて上記両スライド用係合部１４の下端面を台紙１の両突起５の上端面に当接させる。この当接状態で、ブリスターケース２の爪部１３は、台紙１の切込み６に対応する位置に位置決めされている。そして、ブリスターケース２の爪部１３を台紙１の切込み６に差し込む際には、この爪部１３を裏側に折り曲げるとともに、台紙１を裏側に折り曲げて切込み６に空隙を与え、そのまま上記爪部１３を切込み６に差し込むことを行う（図７参照）。
【００１４】
このように、上記実施の形態では、ブリスターケース２の爪部１３を台紙１の切込み６に押し込むことが、そのまま台紙１の切込み６に空隙を与える動作となるため、台紙１へのブリスターケース２装着が容易になる。
【００１５】
上記台紙１の切込み６の形状は、略コ字状であればよく、好ましくは、上記実施の形態のように、上端部が、上記直線部分６a に形成され、この直線部分６a の左右両端に左右一対の傾斜部分６ｂが形成された形状がよい。また、上記切込み６は、ブリスターケース２のスライド方向に対し直交する方向に一直線状に延びる直線部分６a と、この直線部分６a の左右両端から下側に向かって垂下する左右一対の垂下部分６ｃとからなっていてもよい（図８参照）。
【００１６】
上記ブリスターケース２の爪部１３の形状は、先端部が先すぼまり形状になっているほうがよく、好適には、半円弧形状，半楕円形状もしくは矩形状と半円弧状，半楕円形状とを組み合わせた形状（例えば、図９に示すように，ブリスターケース２の平板部１１の上端面１１a から突出形成される矩形状部分１３a と、この矩形状部分１３a の先端面から突出形成される半円弧状部分１３ｂとからなるもの）がよい。
【００１７】
上記台紙１の切込み６および上記ブリスターケース２の爪部１３の寸法は、差し込み作業性および爪部１３の保持性を考慮すると、下限を設定するのが望ましい。好ましくは、Ｗ１（爪部１３の横幅）≧８ｍｍで、ｗ１（切込み６の直線部分６a の横幅）≧Ｗ１＋１ｍｍで、ｗ２（切込み６の全横幅）≧ｗ１＋１ｍｍである（図２および図３参照）。
【００１８】
また、Ｈ２（爪部１３の縦幅）≧３ｍｍで、Ｒ１（爪部１３の半径）≧３ｍｍで、ｈ２（切込み６の縦幅）≦（１／２）×Ｈ２であるのが望ましく、最適であるのは、Ｗ１＝２×Ｈ２、Ｈ２＝Ｒ１の場合である（図２および図３参照）。
【００１９】
化粧品のように高さ２００ｍｍ程度までの製品を対象とする場合には、２０ｍｍ≧Ｗ１で、１０ｍｍ≧Ｈ２，１０ｍｍ≧Ｒ１で充分である。
【００２０】
切込み６および爪部１３の位置等は、差し込み作業性および爪部１３の保持性を良好にするために、Ｈ１（スライド用係合部１４の縦幅）とｈ１（切込み６の直線部分６a と台紙１の突起５の上端面間の距離）とｈ２との間に、１．５ｍｍ≦ｈ１−Ｈ１≦ｈ２の関係があることが望ましく、さらに、Ｈ３（収容部１２の上端面と平板部１１の上端面１１a 間の距離）≧３ｍｍ（平板部１１があるため爪部１３を曲げやすくなる）であると、さらによい（図２および図３参照）。
【００２１】
なお、上記実施の形態では、ブリスターケース２の材質をＰＶＣ（塩化ビニル樹脂）としたが、これに限定されるものではなく、Ａ−ＰＥＴ（ポリエチレンテレフタレート），ＰＰ（ポリプロピレン），ＰＳ（ポリスチレン）等の他のプラスチックの材質でもよいし、プラスチック以外の材質でもよい。また、台紙１を厚紙製としたが、これに限定されるものではなく、プラスチック等の他の材質でもよい。
【図面の簡単な説明】
【００２２】
【図１】本発明のスライド式ブリスターパックの一実施の形態を示す正面図である。
【図２】台紙の正面図である。
【図３】ブリスターケースの正面図である。
【図４】上記ブリスターケースの底面図である。
【図５】上記ブリスターケースの側面図である。
【図６】上記ブリスターケースの斜視図である。
【図７】上記スライド式ブリスターパックの作用を示す断面図である。
【図８】上記台紙の変形例を示す正面図である。
【図９】上記ブリスターケースの変形例を示す正面図である。
【図１０】従来のスライド式ブリスターパックを示す斜視図である。
【図１１】上記スライド式ブリスターパックの組み立て方法を示す斜視図である。
【図１２】従来の他のスライド式ブリスターパックを示す正面図である。
【図１３】上記他のスライド式ブリスターパックの作用を示す断面図である。
【符号の説明】
【００２３】
１  台紙
２  ブリスターケース
５  突起
６  切込み
１３  爪部
１４  スライド用係合部
【図１】
2005075460.tif 000003
【図２】
2005075460.tif 000004
【図３】
2005075460.tif 000005
【図４】
2005075460.tif 000006
【図５】
2005075460.tif 000007
【図６】
2005075460.tif 000008
【図７】
2005075460.tif 000009
【図８】
2005075460.tif 000010
【図９】
2005075460.tif 000011
【図１０】
2005075460.tif 000012
【図１１】
2005075460.tif 000013
【図１２】
2005075460.tif 000014
【図１３】
2005075460.tif 000015
【手続補正書】
【提出日】平成15年9月9日(2003.9.9)
【手続補正１】
【補正対象書類名】図面
【補正対象項目名】全図
【補正方法】変更
【補正の内容】
【図１】
2005075460.tif 000016
【図２】
2005075460.tif 000017
【図３】
2005075460.tif 000018
【図４】
2005075460.tif 000019
【図５】
2005075460.tif 000020
【図６】
2005075460.tif 000021
【図７】
2005075460.tif 000022
【図８】
2005075460.tif 000023
【図９】
2005075460.tif 000024
【図１０】
2005075460.tif 000025
【図１１】
2005075460.tif 000026
【図１２】
2005075460.tif 000027
【図１３】
2005075460.tif 000028